(57)【要約】      （修正有）【課題】ビンの破損および傷を防止するとともに、装着が容易で、コストを軽減し、環境へも配慮したパルプモールド製の破ビン防止部材を提供する。【解決手段】ビン６の胴部外形に沿った凹曲面状の支持部２、３を複数形成し、ビン６の胴部外形に沿う半円状の１又は複数の凹曲面状主支持部２と、その両側に１／４円の凹曲面状副支持部３とを形成した主体部の中央に設けた折り曲げ線（ヒンジ部）４に沿って、凹曲面支持部２及び１／４円凹曲面支持部３が外側に配置されるように折り曲げたうえ、折り曲げ線４を下にして、包装箱内に並列させたビン６の胴部間に押込むことにより包装箱内のビン６とビン６との空間を保持する。【選択図】図９
2005178809.tif 000002
【特許請求の範囲】
【請求項１】
包装箱内に並べられたビンとビンとの間に挿入される破ビン防止部材であって、パルプ又は古紙パルプを原料としたパルプモールド品からなり、ビンの胴部外形に対応する凹曲面状の支持部を複数形成させた主体部の中央に折線を設け、該折線に沿って前記凹曲面状の支持部が主体部外面に対称的に配置されるように折り込んで、包装箱内のビンの胴部間に挿入させるようにしたことを特徴とするパルプモールド製の破ビン防止部材。
【請求項２】
前記パルプモールド製の破ビン防止部材は、ビンの胴部外形に沿う半円状の１又は複数の凹曲面状主支持部と、その両側に１／４円の凹曲面状副支持部とを形成した主体部の中央に折り曲げ線を設け、該折り曲げ線に沿って、前記凹曲面状主支持部及び１／４円の凹曲面状副支持部を外側に配置されるように折り曲げてなり、包装箱内へ多数のビンを並立して収容後にビンの間隙に挿着されることを特徴とする請求項１に記載のパルプモールド製の破ビン防止部材。
【請求項３】
前記折り曲げ線での破断および分離の防止のための、プラスチック、紙または布製の粘着テープを破ビン防止部材内側の折り曲げ線に貼着することを特徴とする請求項１または２に記載のパルプモールド製の破ビン防止部材。
【請求項４】
原料パルプに対し０．０１〜２．０重量％の柔軟剤を混入したパルプモールドであることを特徴とする請求項１〜３のいずれか１つの項に記載のパルプモールド製の破ビン防止部材。
【発明の詳細な説明】
【技術分野】
【０００１】
本発明は、例えばワインなどの飲食物を封入したガラスビンあるいは陶磁器製のビンなど破損しやすい物品を輸送などのために包装箱に収容する際に使用されるもので、輸送中の振動などによりビンの破損、ビンの表面やラベルの傷などを防止する破ビン防止部材に関するものであって、特に古紙、パルプを主原料としたパルプモールド製の破ビン防止部材に関するものである。
【背景技術】
【０００２】
従来、ワインやビールなど飲料を詰めたガラスビンを段ボールなどの包装箱に収容する場合、輸送中にビンが破損するのを防止するために、段ボールなどの紙素材を井桁に組んだ中仕切りが使用されていた。このような中仕切りは、包装箱とは別に組み立てられ、包装箱の中にビンを収容する前に設置されるか、あるいは、仕切りが包装箱の底面フラップ、側面フラップと一体に形成されていて、箱の組み立て時に同時に中仕切りを組み立てるものであった。
しかし、このような段ボールなど紙素材からなる仕切りは、包装箱にビンを挿入する際、ビンを仕切り間にスムーズに挿入するのが難しく、仕切りが折れ曲がったり潰れたりしやすかった。また、材料費も高く、井桁に組立てるにも手間がかかるなど多くの問題があった。
【０００３】
また、発泡スチロールなどプラスチック製の緩衝材も仕切りの代わりに使用されているが、発泡スチロールなどのプラスチック材料は使用後のゴミ処理に関する問題がある。近年環境問題への関心の高まりから、リサイクル可能なもの、あるいは、廃棄時に有害物質の排出の心配のない焼却可能なものが要求されるようになっている。
【０００４】
パルプモールド製の仕切りは、原料に古紙のリサイクル品が使用でき、使用後のリサイクル効率が高く、処理が簡単で、焼却処理も可能であり、環境に優しいばかりではなく、材料コストも安く、通気性、吸湿性に優れ、ビン表面の結露を防止し、鮮度保持にも十分効果を発揮するなどの利点を有している。こうしたことから、パルプモールド製の中仕切りが贈答用詰め合わせ包装箱などに使用されるようになってきている。
このような贈答品用のパルプモールド製の中仕切りは、包装箱にビンを横置きして使用するものであった。横置きされるビンの下半面に沿う形状の凹みが形成されていた。（例えば特許文献1参照）。また、ビンを包装箱に縦置きするための中仕切りとしては、ビンの底およびビン周縁部に沿う形状の凹みが形成され、ビンのほとんど全部または半分以上を包み込むように支持するものも提案されている。(例えば特許文献２参照)。
【特許文献１】特公昭５８−５２９０６号公報（第２頁左欄３２行〜右欄５行、図２）。
【特許文献２】特開２０００−１９１０５１号公報（第４頁第１４〜３７行、図２）。
【発明の開示】
【発明が解決しようとする課題】
【０００５】
特許文献１に記載のものは、ビンを横に寝かせた状態で通常６本程度を横に並べて置くため、設置面積が大きくなり、運搬・保管のためのコストが嵩むという問題があった。また、高さ方向の寸法は短いのに対し、縦横に長くなることで、包装箱および中仕切りが湾曲しやすくなり、物品の安定性が損なわれるおそれがあった。
また、特許文献２に記載のものは、パルプモールドの仕切りの形状が複雑であるため、組み立ておよび、包装箱内への挿入に手間がかかるという問題があった。
さらに、特許文献１および特許文献２に記載の両者は、パルプモールドにより覆われるビン表面の面積が大きいため、ビン一本当たりに使用されるパルプモールドの量が多く、コストが嵩むといった問題があった。
そこで、本発明は上記問題点を解決し、ビンの破損および傷を防止するとともに、装着が容易で、コストを軽減し、環境へも配慮したパルプモールド製の破ビン防止部材を提供することを目的とする。
【課題を解決するための手段】
【０００６】
上記目的を達成するため、本発明は、以下の各発明を包含する。
（１）第１の発明は、包装箱内に並べられたビンとビンとの間に挿入される破ビン防止部材であって、パルプ又は古紙パルプを原料としたパルプモールド品からなり、ビンの胴部外形に対応する凹曲面状の支持部を複数形成させた主体部の中央に折線を設け、該折線に沿って前記凹曲面状の支持部が主体部外面に対称的に配置されるように折り込んで、包装箱内のビンの胴部間に挿入させるようにしたことを特徴とする。
（２）第２の発明は、前記パルプモールド製の破ビン防止部材は、ビンの胴部外形に沿う半円状の１又は複数の凹曲面状主支持部と、その両側に１／４円の凹曲面状副支持部とを形成した主体部の中央に折り曲げ線を設け、該折り曲げ線に沿って、前記凹曲面状主支持部及び１／４円の凹曲面状副支持部を外側に配置されるように折り曲げてなり、包装箱内へ多数のビンを並立して収容後にビンの間隙に挿着されることを特徴とする。
（３）第３の発明は、前記折り曲げ線での破断および分離の防止のための、プラスチック、紙または布製の粘着テープを破ビン防止部材内側の折り曲げ線に貼着することを特徴とする。
（４）第４の発明は、原料パルプに柔軟剤を対パルプ０．０１〜２．０重量％混入した古紙またはパルプを用いて、破ビン防止部材を形成することを特徴とするものである。
【発明の効果】
【０００７】
本発明の破ビン防止部材は、ビンとビンとの間隙を一定に維持し、衝撃を緩和し、振動によるビン同士の接触を防ぎ、ビンの傷つき・破損を防止することができる。
本発明の破ビン防止部材は、従来の仕切りのようにビンを収容する前に包装箱内にあらかじめ設置しておく必要がない。すなわち、包装箱にビンを収容した後、破ビン防止部材の挿入を行うことで、作業時間を大幅に短縮することができる。また、破ビン防止部材を包装箱に固定するための手段を必要としないものである。
また、破ビン防止部材の取り出しも容易にでき、ビンの取り出しに手間取ることがない。さらに、ビン一本当たりに必要とされるパルプモールド量が少なくてすむという効果を奏する。
また、原料に柔軟剤を所定量添加した古紙又はパルプを用いて破ビン防止部材を形成するのでビンの擦り傷防止性が向上する。
【発明を実施するための最良の形態】
【０００８】
以下、本発明のパルプモールド製の破ビン防止部材について、図面を参照し、説明する。本発明では、パルプモールドの原料素材には、バージンパルプおよび古紙パルプを使用する。
緩衝性を高める必要がある場合、原料パルプに柔軟剤を添加配合したものを使用してパルプモールドを作成することにより、パルプモールドに柔軟性とビンの擦り傷防止性を付与する。柔軟剤としては、例えば、アニオン系、カチオン系、両性イオン系、ノニオン系の界面活性剤、ポリエチレンワックスなどのワックスエマルジョン、ジメチルポリシロキサン、カチオン変性シリコーン、エポキシ変性シリコーンなどのシリコーン系化合物、ウレタン系高分子などを使用することができ、その配合量は、対パルプ０．０１〜２．０重量％程度である。０．０１重量％未満の場合は、緩衝性及びビンの擦り傷防止性の向上効果は得られない。また、２．０重量％を越えて柔軟剤を加えても、上記効果が頭打ちとなるため不経済となる。また、使用する柔軟剤の種類によっては、モールドの表面に多く存在し過ぎると、ビンなどに柔軟剤が付着するという不具合が発生する惧れがある。
【０００９】
図１は、本発明のパルプモールド製の破ビン防止部材の一実施形態を示す斜視図で、パルプモールドを成形型から離型した状態の斜視図である。図２は図１の破ビン防止部材を上から見た平面図、図３は図２のＡ−Ａ線での断面図、図４は横から見た側面図である。
符号１は破ビン防止部材であり、ワインやビールなどの飲食物を詰めたビンの胴部外形に沿う半円状の凹曲面状主支持部２、その両側に１/４の円状の凹曲面状副支持部３を形成した主体部の中央に折り曲げ線（ヒンジ部）４が設けられ、左右対称の形状に凹曲面状支持部２および３が形成されている。
前記凹曲面状の支持部２および３には、衝撃吸収力を高めるとともに、ビン表面から滑落するのを防ぐために、複数の凹部５を設けている。凹部５を設けることにより形状変形への対応機能が向上する。また、凹曲面状支持部２、３の周囲には縁部（フランジ片）７が形成されている。
【００１０】
図１に示す左右に凹曲面状の支持部２、３が平面に並んだ状態の破ビン防止部材１は、比較的滑らかな仕上がりの表面が外側になるように、折り曲げ線４で二つに折り曲り重ねて使用される。すなわち、破ビン防止部材は、ビンの胴部外形に沿う半円状の１又は複数の凹曲面状主支持部２と、その両側に１／４円の凹曲面状副支持部３とを形成した主体部１ａの中央に設けた折り曲げ線（ヒンジ部）４に沿って、凹曲面状主支持部２及び１／４円の凹曲面状副支持部３を外側に配置されるように折り曲げる。図５は折り曲げ途中の破ビン防止部材１の斜視図であり、図６は二つに折り重ねられた状態の破ビン防止部材１を下から見た平面図で、破ビン防止部材１は、組み立てられた状態では左右対称に凹曲面状の支持部２、３を有する構造となっている。図７は組み立てられた状態の破ビン防止部材１を、横から見た平面図である。折り曲げ線４で左右の部材が破断し、分離するのを防ぐために、破ビン防止部材の内側面の折り曲げ線４上に、左右の部材にまたがってプラスチック、布または紙製の粘着テープ９を貼着している。
【００１１】
次に、組み立てられた破ビン防止部材１を包装箱への装着について説明する。
まず、横３本、縦２列の６本のビンを立てた状態で包装箱８に縦置きに収容する。そのあとビンとビンとの間に、破ビン防止部材１を折り曲げ線４を下側にして上から挿入する。
また、図は省略しているが、破ビン防止部材１の上端縁に指が掛けられるように凹凸を形成しておくと、破ビン防止部材１の挿入を容易に行うことができる。通常、折り曲げ線を下にして挿入するが、反対側を下にして装着してもよい。
破ビン防止部材１は図７の側面図からわかるように、先端から挿入しやすいように先端部分は構成されている。破ビン防止部材１はビン胴表面の凹曲面と接触し、引っかかることなく、また大きな力を入れずに、滑らかに押し込むことができる。図８は使用状態の平面図で、包装箱８内に６本のビン６を並設し、ビンの間に破ビン防止部材１を挿入した状態を上から見た図である。また、図９は、破ビン防止部材１の拡大斜視図で、ビン６を鎖線にて示している。破ビン防止部材１はビン６の胴部に密接している。パルプモールドにより形成された破ビン防止部材１は適度な強度と弾力性を有するため、潰れたりすることなく、ビンとビンとに挟まれ箱内の空間に保持される。
破ビン防止部材１をビンとビンとの間に挿入してはめ込むことにより、運搬時などに振動が加えられても、ビンとビンとが接触しないように一定の間隙が維持される。
【実施例】
【００１２】
古紙パルプ１００％に柔軟剤０．１％(理研グリーン：サーファクス８７１８)を添加したものを原料としてパルプモールド製の破ビン防止部材を作成する。
次に、折り曲げ線の裏面に布テープ(幅３０ｍｍ)を貼着し、左右の部材を折り重ね、組み立てる。包装箱に６本のガラスビンを入れ、その間にパルプモールド製の破ビン防止部材を装着する。
【００１３】
これを本発明の破ビン防止部材の実施例とし、特開２０００−１９１０５１号公報に記載のパルプモールド製の仕切り(ガラスビン６本用)と比較すると、破ビン防止部材の面積については、ガラスビン６本用について、従来例では１２００ｃｍ２以上であるのに対し、本発明の実施例が６００ｃｍ２以下であった。パルプモールドを挿入するのに要する時間は、本発明の実施例が２０秒以下であるのに対し、従来例は６０秒以上かかった。
次に、緩衝性について次のような試験を行った。
ガラスビン６本を段ボール包装箱に箱詰めし、本発明の実施例の破ビン防止部材および従来例の仕切りをセットし、振動試験機に載せ、０．５Ｇの加速度で３０秒間振動を与え、ガラスビンの傷などを観察した。この結果は、本発明の実施例および従来例、ともに傷の発生は観察されなかった。
【図面の簡単な説明】
【００１４】
【図１】本発明パルプモールド製破ビン防止部材の一実施形態を示す斜視図。
【図２】同上の平面図。
【図３】図２のＡ−Ａ線における断面図。
【図４】図２の破ビン防止部材を横から見た側面図。
【図５】組み立て途中を示す斜視図。
【図６】組み立てた状態の破ビン防止部材の底面図。
【図７】図６の側面図。
【図８】包装箱内のビンの間隙に破ビン防止部材を装着した状態の平面図。
【図９】破ビン防止部材の斜視図。
【符号の説明】
【００１５】
１  破ビン防止部材
１ａ  主体部
２、３  凹曲面状の支持部
４  折り曲げ線
５  凹部
６  ビン
７  縁部
８  包装箱
９  粘着テープ
【図１】
2005178809.tif 000003
【図２】
2005178809.tif 000004
【図３】
2005178809.tif 000005
【図４】
2005178809.tif 000006
【図５】
2005178809.tif 000007
【図６】
2005178809.tif 000008
【図７】
2005178809.tif 000009
【図８】
2005178809.tif 000010
【図９】
2005178809.tif 000011